(57)【要約】【課題】本発明は、ファンによって発生する雑音を、簡単且つ廉価な構造で低減できるテレビカメラシステムを提供する。【解決手段】本発明のテレビカメラシステム１０によれば、テレビカメラ１８の稼働時又は稼働直前であって、マイクからの音声を使用する時に、雲台コントローラ１６のサイレントモードスイッチ４８をオン操作すると、制御回路部３４は、その時の状況に応じて、ファン２８、３０の運転を通常運転からサイレントモード運転に切り換え、ファンの回転数を所定の低速回転に減速制御、またはファン２８、３０を停止制御する。これにより、マイクロフォン２６で集音される雑音を低減できる。【選択図】        図２
2004200778.tif 000002
【特許請求の範囲】
【請求項１】
テレビカメラが収納されるとともにマイクロフォン及びファンが取り付けられたカメラハウジングと、該ファンを制御する制御部と、該制御部に指令信号を出力する操作部とを備え、
該操作部にはサイレントモード選択スイッチが設けられ、
該サイレントモード選択スイッチがオン操作されると、前記制御部は、前記ファンの運転を通常運転からサイレントモード運転に切り換えて、ファンの回転数を所定の低速回転に減速制御、またはファンを停止制御することを特徴とするテレビカメラシステム。
【請求項２】
前記カメラハウジングには温度センサが取り付けられ、該温度センサからの温度情報に基づいて前記制御部は、前記サイレントモード運転から通常運転に前記ファンの運転を切り換えることを特徴とする請求項１に記載のテレビカメラシステム。
【発明の詳細な説明】
【０００１】
【発明の属する技術分野】
本発明はテレビカメラシステムに係り、特にカメラハウジングに取り付けられた冷却ファンを操作部によって遠隔制御するテレビカメラシステムに関する。
【０００２】
【従来の技術】
雲台装置は、テレビカメラが収納されたカメラハウジングを雲台駆動部によってパン、チルト動作させることによりテレビカメラを所望の方向に向ける装置である。
【０００３】
カメラハウジングには冷却ファンが設けられ、カメラハウジング内の温度が上昇したときに冷却ファンが駆動され、テレビカメラを冷却する。また、カメラハウジングの内部に熱交換器とファンとを設け、熱交換器及びファンを駆動させることにより、カメラハウジングの前面に設けられた保護ガラスに曇りが発生するのを防止したカメラハウジングが提案されている（特許文献１）。更に、カメラハウジングの内部にファンとヒータとを設け、ファンの送風方向及びヒータのオン／オフを制御して前記曇りの発生を防止したカメラハウジングも提案されている（特許文献２）。
【０００４】
ところで、ファンが内蔵されたカメラハウジングは、ファンの風切り音や震動音（以下、「雑音」と言う）がテレビカメラのマイクロフォンに集音される場合があるので、ファンによる雑音対策が施されている。すなわち、低騒音タイプのファンを採用したり、ファンを弾性体などの緩衝部材を介してカメラハウジングに取り付けたり、超指向性マイクロフォンを採用したりして、マイクロフォンに集音されるファンの雑音を低減している。
【０００５】
【特許文献１】
特開平８−２０５００７号公報  （第３頁  図１）
【０００６】
【特許文献２】
特開２００２−４０５５４号公報（第３頁  図２）
【０００７】
【発明が解決しようとする課題】
しかしながら、前記従来の雑音対策では、十分な消音効果を得ることができなかった。また、余計な弾性体を取り付けることでカメラハウジングが重量物となり、更に、高価な超指向性マイクロフォンを採用するとカメラハウジングのコストも高価になるという問題もあった。
【０００８】
一方、カメラハウジングに設けられた温度センサからの内部温度情報に基づいてファンを自動でオン／オフ制御する装置がある。この装置の場合、オン／オフ切替温度は、テレビカメラ等の機器に問題になる温度よりも低めに設定されているため、ファンは休まず運転されることが多い。よって、カメラハウジング内では、ファンによる雑音が常時発生していることになる。これを防止するため、前記切替温度を前記問題になる温度に設定すると、ファンによる雑音は低減できるが、冷却には時間がかかるため、温度上昇をくい止めることができない場合があり、テレビカメラ等の機器に悪影響を与えるという問題があった。
【０００９】
本発明はこのような事情に鑑みてなされたもので、ファンによって発生する雑音を、簡単且つ廉価な構造で低減できるテレビカメラシステムを提供することを目的とする。
【００１０】
【課題を解決するための手段】
本発明のテレビカメラシステムは、前記目的を達成するために、テレビカメラが収納されるとともにマイクロフォン及びファンが取り付けられたカメラハウジングと、該ファンを制御する制御部と、該制御部に指令信号を出力する操作部とを備え、該操作部にはサイレントモード選択スイッチが設けられ、該サイレントモード選択スイッチがオン操作されると、前記制御部は、前記ファンの運転を通常運転からサイレントモード運転に切り換えて、ファンの回転数を所定の低速回転に減速制御、またはファンを停止制御することを特徴としている。
【００１１】
請求項１に記載の発明によれば、操作部のサイレントモード選択スイッチをオン操作すると、制御部は、ファンの運転を通常運転からサイレントモード運転に切り換えて、ファンの回転数を所定の低速回転に減速制御、またはファンを停止制御する。ファンによる雑音を低減したいとき、すなわち、テレビカメラの稼働時にサイレントモード運転に切り換える。これにより、マイクロフォンで集音される雑音を低減できる。また、それ以外のときには、ファンは通常運転制御されているので、カメラハウジング内の温度上昇による不具合も防止できる。よって、本発明では、必要時にのみファンの回転数を落したりファンを停止したりするという制御手法を採用したので、ファンによって発生する雑音を簡単且つ廉価な構造で低減できる。
【００１２】
請求項２に記載の発明によれば、カメラハウジングに取り付けられた温度センサからの温度情報に基づいて制御部は、サイレントモード運転から通常運転にファンの運転を強制的に切り換える。サイレントモード運転時であっても、カメラハウジングの内部温度がテレビカメラ等の機器に問題を与える温度近くにまで上昇した場合には冷却を優先し、サイレントモード運転から通常運転に切り換え、ファンの回転数を上げて即座に冷却を行う。これにより、温度上昇によるテレビカメラ等の不具合発生を防止できる。
【００１３】
【発明の実施の形態】
以下添付図面に従って本発明に係るテレビカメラシステムの好ましい実施の形態について詳説する。
【００１４】
図１に示す実施の形態のテレビカメラシステム１０は、カメラハウジング１２をパン／チルト操作する雲台駆動部１４、及び雲台駆動部１４等を遠隔制御する雲台コントローラ（操作部）１６から構成される。カメラハウジング１２の内部には、図２の如くテレビカメラ１８が収納され、テレビカメラ１８の撮影レンズ２０に対向したカメラハウジング１２の前面には、図１の如く透明の保護ガラス２２が取り付けられている。
【００１５】
また、カメラハウジング１２の前面にはワイパ装置２４が設けられ、ワイパ装置２４が駆動されることにより保護ガラス２２に付着した水滴や塵等が拭き取られる。更に、図２の如くカメラハウジング１２の内部にはマイクロフォン２６、第１冷却ファン２８、第２冷却ファン３０、及び温度センサ３２がそれぞれ所定の位置に設けられている。また、制御回路部（制御部）３４がカメラハウジング１２の底部に取り付けられ、この制御回路部３４の図３に示すＣＰＵ３６は、雲台コントローラ１６のＣＰＵ３８から出力される指令信号に基づいてテレビカメラ１８、ワイパ装置２４、第１冷却ファン２８、第２冷却ファン３０等を制御するとともに、温度センサ３２からのカメラハウジング内部温度情報に基づいて第１冷却ファン２８、第２冷却ファン３０を制御する。この制御内容については後述する。なお、第１及び第２冷却ファン２８、３０は、多翼構造のシロッコファンであり、カメラハウジング１２に内蔵されている不図示のモータによって駆動される。
【００１６】
このように構成された雲台駆動部１４及びカメラハウジング１２は、図１に示す雲台／カメラ制御ケーブル４０を介して雲台コントローラ１６に接続され、雲台コントローラ１６を操作するオペレータによって遠隔制御される。
【００１７】
雲台コントローラ１６には、図４の如く電源スイッチ４２、オペレータが雲台駆動部１４のパン／チルト動作の操作を行なうためのジョイスティック４４、テレビカメラ１８の各種動作、処理についての操作及び設定を行なうための操作スイッチ群４６が設けられている。操作スイッチ群４６としては、フォーカス、ズーム、アイリス、映像信号のゲイン、ブラックバランス、ホワイトバランス、シャッタースピード等の各種撮影条件を設定する操作スイッチを例示できる。オペレータがこれらの操作スイッチを操作すると、その操作に基づく制御信号が雲台／カメラ制御ケーブル４０を介して制御回路部３４（図３参照）のＣＰＵ３６に出力され、そしてＣＰＵ３６から出力される制御信号に基づいてテレビカメラ１８が動作する。
【００１８】
ところで、図４に示す雲台コントローラ１６には、操作スイッチであるサイレントモードスイッチ（ＳＭ：ＳＷ）４８、ファン強制モードスイッチ（ＦＡＮ強制ＳＷ）５０、第１冷却ファンオン／オフスイッチ（No.１：ＦＡＮ）５２、第２冷却ファンオン／オフスイッチ（No.２：ＦＡＮ）５４、サイレントモードランプ（ＳＭ）５６、サイレントモード停止ランプ（ＳＭ停止）５８、ファンインジケータランプ（ＦＡＮ：Ｉｎｄｉｃａｔｏｒ）６０、及び警告ランプ（警告）６２がそれぞれ所定の位置に配設されている。なお、各操作スイッチ４８〜５４には、オン操作されると点灯し、オフ操作される消灯するスイッチランプ４９、５１、５３、５５が内蔵されている。また、第１冷却ファン２８、第２冷却ファン３０を個別に制御する必要がない場合には、オン／オフスイッチ５２、５４は不要である。更に、ファンインジケータランプ６０は、ファン２８、３０の台数に合わせて２個設けてもよい。
【００１９】
オペレータが、雲台コントローラ１６の電源スイッチ４２、及び各操作スイッチ４８〜５４を操作すると、その操作に基づいて雲台コントローラ１６のＣＰＵ３８（図３参照）が各ランプ５６、５８、６０、６２及び各スイッチランプ４９、５１、５３、５５を点灯／消灯制御する。また、オペレータの前記操作に基づく指令信号が、雲台コントローラ１６のＣＰＵ３８から雲台／カメラ制御ケーブル４０を介して制御回路部３４のＣＰＵ３６に送信される。ＣＰＵ３６は、この指令信号に基づいて第１及び第２冷却ファン２８、３０を制御する。なお、操作内容に応じて各ランプ５６、５８、６０、６２及び各スイッチランプ４９、５１、５３、５５の色を変えて点灯、点滅、消灯制御してもよい。
【００２０】
次に、雲台コントローラ１６による第１冷却ファン２８及び第２冷却ファン３０の制御内容について図５〜図８に示すフローチャートを参照して説明する。
【００２１】
まず、ファン２８、３０の運転モードは大別して自動モード、サイレントモード、及びファン強制モードの３つの処理モードからなり、自動モードは基本的に電源スイッチ４２がオン操作されたときに設定され、サイレントモードはサイレントモードスイッチ４８がオン操作されたときに設定され、ファン強制モードはファン強制モードスイッチ５０がオン操作されたときに設定される。
【００２２】
図５は、モード設定処理を示すフローであり、前記処理モードが選択された場合の各ランプ５６、５８、６０、６２及び各スイッチランプ４９、５１、５３、５５の点灯／消灯状態を経時的に示したものである。また、図６〜図８は、図５のモード設定処理で設定した処理モードにおける、第１及び第２冷却ファン２８、３０の制御内容を示したフローである。
【００２３】
図５に示すモード設定処理（ステップ（Ｓ）１００）において、電源スイッチ４２をオンにして処理モードを自動モードに設定する（Ｓ１１０）。このとき、ファン強制モードスイッチ５０が予めオンされていた場合には（Ｓ１２０）、処理モードをファン強制モードに設定する（Ｓ１３０）。これにより、ファン強制モードスイッチランプ５１が点灯し（Ｓ１４０）、ファン強制モードの処理が実行される（Ｓ１５０）。
【００２４】
一方、ファン強制モードスイッチ５０がオフされている場合であって（Ｓ１２０）、サイレントモードスイッチ４８がオンの場合には（Ｓ１６０）、サイレントモードに設定する（Ｓ１７０）。これにより、サイレントモードスイッチランプ４９が点灯し（Ｓ１８０）、サイレントモードの処理が実行される（Ｓ１５０）。
【００２５】
また、サイレントモードスイッチ４８がオフの場合には（Ｓ１６０）、その現在の処理モードが維持される（Ｓ１９０）。
【００２６】
次に、各々の処理モードの流れについて説明する。
【００２７】
図６の如くサイレントモード処理が設定されると（Ｓ１５０）、現在のカメラハウジング内温度Ｔを温度センサ３２（図３参照）から読み込む（Ｓ３００）。
【００２８】
ここで、Ｔ１はファン自動オフ温度、Ｔ２はファン自動オン温度、Ｔ３は警告温度、Ｔ４はサイレントモード停止温度であり、Ｔ１＜Ｔ２＜Ｔ３＜Ｔ４の温度関係にある。
【００２９】
温度センサ３２から読み込んだカメラハウジング内温度Ｔが、Ｔ≦Ｔ１の場合には（Ｓ３１０）、第１冷却ファン２８及び第２冷却ファン３０を停止する（Ｓ３２０）。これにより、ファン２８、３０による雑音は発生せず、マイクロフォン２６には雑音は集音されない。そして、ファン２８、３０が停止すると、サイレントモードランプ５６が消灯し（Ｓ３３０）、警告ランプ６２が消灯し（Ｓ３４０）、サイレントモード停止ランプ５８が消灯し（Ｓ３５０）、ファンインジケータランプ６０が消灯（Ｓ３６０）し、図５に示したＳ１２０に戻る。なお、図６において、サイレントモードランプ５６を消灯する（Ｓ３３０）としたが点灯させておいてもよく、また、サイレントモード停止ランプ５８を消灯する（Ｓ３５０）としたが、これも点灯させておいてもよい。
【００３０】
一方、温度センサ３２から読み込んだカメラハウジング内温度Ｔが、Ｔ１＜Ｔ＜Ｔ２の場合には（Ｓ３７０）、ファン２８、３０のオン状態を維持するとともに各ランプ状態を維持し（Ｓ３８０）、図５に示したＳ１２０に戻る。
【００３１】
また、図６において、温度ＴがＴ２≦Ｔ＜Ｔ４の場合には（Ｓ３９０）、ファン２８、３０をサイレント動作させる（Ｓ４００）。すなわち、ファン２８、３０の回転数を、雑音として判断されない程度にまで落とす。この後、サイレントモードランプ５６を点灯し（Ｓ４１０）、サイレントモード停止ランプ５８を消灯し（Ｓ４２０）、ファンインジケータランプ６０を点灯する（Ｓ４３０）。なお、ファン２８、３０を停止させた場合には、ファンインジケータランプ６０は消灯する。
【００３２】
そして、温度ＴがＴ≧Ｔ３の場合には（Ｓ４４０）、警告ランプ６２を点灯し（Ｓ４５０）、図５に示したＳ１２０に戻る。
【００３３】
一方、図６のＳ４４０において、温度ＴがＴ＜Ｔ３の場合には、警告ランプ６２を消灯し（Ｓ４６０）、図５に示したＳ１２０に戻る。
【００３４】
また、図６のＳ３９０において、温度ＴがＴ≧Ｔ４の場合には、ファン２８、３０を高速回転の通常動作に切り換えるとともに（Ｓ４７０）、ファンインジケータランプ６０を点灯し、サイレントモードランプ５６を消灯し（Ｓ４８０）、警告ランプ６２を消灯し（Ｓ４９０）、サイレントモード停止ランプ５８を点灯し（Ｓ５００）、図５に示したＳ１２０に戻る。以上がサイレントモード処理の流れである。
【００３５】
次に、自動モード処理について説明する。
【００３６】
図７の如く自動モード処理が設定されると（Ｓ１５０）、現在のカメラハウジング内温度Ｔを温度センサ３２（図３参照）から読み込むとともに（Ｓ５１０）、サイレントモードランプ５６を消灯し（Ｓ５２０）、警告ランプ６２を消灯し（Ｓ５３０）、サイレントモード停止ランプ５８を消灯する（Ｓ５４０）。そして、温度ＴがＴ≦Ｔ１の場合には（Ｓ５５０）、ファン２８、３０を停止するとともに（Ｓ５６０）、ファンインジケータランプ６０を消灯し（Ｓ５７０）、図５に示したＳ１２０に戻る。これにより、ファン２８、３０による雑音は発生せず、マイクロフォン２６には雑音は集音されない。
【００３７】
一方、図７のＳ５５０において、温度ＴがＴ１＜Ｔ＜Ｔ２の場合には（Ｓ５８０）、ファン２８、３０のオン状態を維持するとともに各ランプ状態を維持し（Ｓ５９０）、図５に示したＳ１２０に戻る。
【００３８】
また、図７のＳ５８０において、温度ＴがＴ２≦Ｔの場合には（Ｓ５８０）、ファン２８、３０を通常動作させるとともに（Ｓ６００）、ファンインジケータランプ６０を点灯し（Ｓ６１０）、図５に示したＳ１２０に戻る。以上が自動モード処理の流れである。
【００３９】
次に、ファン強制モード処理について説明する。
【００４０】
図８の如くファン強制モード処理が設定されると（Ｓ１５０）、ファン２８、３０を通常の高速回転で動作させ（Ｓ６２０）、サイレントモードランプ５６を消灯し（Ｓ６３０）、警告ランプ６２を消灯し（Ｓ６４０）、サイレントモード停止ランプ５８を消灯し（Ｓ６５０）、ファンインジケータランプ６０を点灯し（Ｓ６６０）、図５に示したＳ１２０に戻る。以上がファン強制モード処理の流れである。
【００４１】
なお、本例では第１冷却ファン２８と第２冷却ファン３０とを同時に駆動制御するようにしたが、別々に制御してもよい。この場合、第１冷却ファンオン／オフスイッチ５２、第２冷却ファンオン／オフスイッチ５４を操作して、稼働する冷却ファンを選択すれば、その選択した冷却ファンのみが前述の如く駆動制御される。
【００４２】
このように実施の形態のテレビカメラシステム１０によれば、テレビカメラ１８の稼働時又は稼働直前に、雲台コントローラ１６のサイレントモードスイッチ４８をオン操作すると、制御回路部３４は、その時の状況に応じて、ファン２８、３０の運転を通常運転からサイレントモード運転に切り換え、ファンの回転数を所定の低速回転に減速制御、またはファン２８、３０を停止制御する。これにより、マイクロフォン２６で集音される雑音を低減できる。また、サイレントモード以外のときには、ファン２８、３０は高速回転で通常運転制御されているので、カメラハウジング１２内の温度上昇による不具合も防止できる。
【００４３】
よって、実施の形態のテレビカメラシステム１０は、必要時にのみファン２８、３０の回転数を落したりファン２８、３０を停止したりするという制御手法を採用したので、ファン２８、３０によって発生する雑音を簡単且つ廉価な構造で低減できる。
【００４４】
また、テレビカメラシステム１０によれば、サイレントモード運転時であっても、カメラハウジング内温度Ｔがテレビカメラ等の機器に問題を与える温度に近い温度（Ｔ４）にまで上昇した場合には、ファン強制モード運転に強制的に切り換わり（図６のＳ４７０）、冷却を優先する。よって、温度上昇によるテレビカメラ１８等の機器の不具合発生を防止できる。
【００４５】
【発明の効果】
以上説明したように本発明に係るテレビカメラシステムによれば、操作部のサイレントモード選択スイッチをオン操作すると、制御部は、ファンの運転を通常運転からサイレントモード運転に切り換えて、ファンの回転数を所定の低速回転に減速制御、またはファンを停止制御するので、ファンによって発生する雑音を簡単且つ廉価な構造で低減できる。
【００４６】
また、本発明によれば、カメラハウジングに取り付けられた温度センサからの温度情報に基づいて制御部は、サイレントモード運転から通常運転にファンの運転を強制的に切り換えるので、温度上昇によるテレビカメラ等の機器の不具合発生を防止できる。
【図面の簡単な説明】
【図１】実施の形態のテレビカメラシステムの一例を示す斜視図
【図２】カメラハウジングの内部構造図
【図３】雲台コントローラと制御回路部のブロック図
【図４】雲台コントローラの平面図
【図５】モード設定処理のフローチャート
【図６】サイレントモード処理のフローチャート
【図７】自動モード処理のフローチャート
【図８】ファン強制モード処理のフローチャート
【符号の説明】
１０…テレビカメラシステム、１２…カメラハウジング、１４…雲台駆動部、１６…雲台コントローラ、１８…テレビカメラ、２６…マイクロフォン、２８…第１冷却ファン、３０…第２冷却ファン、３２…温度センサ、３４…制御回路部、３６、３８…ＣＰＵ、４０…雲台／カメラ制御ケーブル、２…電源スイッチ、４４…ジョイスティック、４６…操作スイッチ群、４８…サイレントモードスイッチ、５０…ファン強制モードスイッチ、５２…第１冷却ファンオン／オフスイッチ、５４…第２冷却ファンオン／オフスイッチ、５６…サイレントモードランプ、５８…サイレントモード停止ランプ、６０…ファンインジケータランプ、６２…警告ランプ
【図１】
2004200778.tif 000003
【図２】
2004200778.tif 000004
【図３】
2004200778.tif 000005
【図４】
2004200778.tif 000006
【図５】
2004200778.tif 000007
【図６】
2004200778.tif 000008
【図７】
2004200778.tif 000009
【図８】
2004200778.tif 000010